(57)【要約】【課題】より簡易な構成で、より着火し易いと共に燃焼性能が優れ、暖房装置としてだけでなくコンロとしても好適に利用できる燃焼器具を提供すること。【解決手段】起立した筒状に形成され、上端面が開放されて底端面が塞がれていると共に、周壁上部１１に複数の開口１２を備える外筒１０と、曲げられた管路状に形成され、外筒１０の周壁下部１３から挿入された状態に装着され、一端部が外筒１０の外側に開放された焚口部２１として設けられていると共に、他端部が外筒１０の内部中央に同心で上方へ延長された管路として形成されて上方へ開放された直立管部２２になっている曲げ管２０とを備え、その曲げ管２０の直立管部２２に複数の通気口２３が設けられている。【選択図】図２
2015087083.tif 000002
【特許請求の範囲】
【請求項１】
起立した筒状に形成され、上端面が開放されて底端面が塞がれていると共に、周壁上部に複数の開口を備える外筒と、
曲げられた管路状に形成されて前記外筒の周壁下部から挿入された状態に装着され、一端部が前記外筒の外側に開放された焚口部として設けられていると共に、他端部が前記外筒の内部中央に同心で上方へ延長された管路として形成されて上方へ開放された直立管部になっている曲げ管とを備え、
該曲げ管の前記直立管部に複数の通気口が設けられていることを特徴とする燃焼器具。
【請求項２】
前記曲げ管の前記一端部が水平方向へ延長された管路として形成されて前記焚口部が水平方向へ開放されていることを特徴とする請求項１記載の燃焼器具。
【請求項３】
前記焚口部を形成する前記曲げ管の一端部の管路内に、該一端部の管路を上下に仕切るロストルが着脱可能に挿入されて配設されていることを特徴とする請求項２記載の燃焼器具。
【請求項４】
前記曲げ管が、エビ曲げ状管の一方端に前記焚口部を形成する直管が接続され、該エビ曲げ状管の他方端に前記直立管部を構成する有孔の直管が接続されて形成されていることを特徴とする請求項１〜３のいずれかに記載の燃焼器具。
【請求項５】
前記曲げ管の前記直立管部の上端面が前記外筒の前記周壁上部の開口よりも下側で開放されていることを特徴とする請求項１〜４のいずれかに記載の燃焼器具。
【発明の詳細な説明】
【技術分野】
【０００１】
この発明は、起立した筒状に形成された外筒の中に、燃焼室と煙突とを兼用する管路が前記外筒の周壁下部から挿入された状態に配されて、該外筒と該管路とによる二重構造に設けられ、薪などの燃焼物を燃焼させるための燃焼器具に関する。
【背景技術】
【０００２】
本願発明者は、先に、薪などの固形状のあらゆる燃焼物を燃焼させるものであって、煙が発生しにくく高温燃焼が可能な燃焼性能の高い燃焼装置について特許を取得している。その燃焼装置によれば、燃焼室の天井面の一半を開閉自在な蓋体で構成することにより、燃焼物の投入口を兼ねた空気供給口を設け、該空気供給口と反対側の天井面若しくは側面には、煙突が接続する排気口を有しており、該排気口と、前記空気供給口との間の天井面からの燃焼促進板を垂設すると共に、該燃焼促進板の下端縁と前記燃焼室の床面との間に燃焼室の高さの１／３〜１／４の範囲の空隙を設けることにより、前記空気供給口が開口する一次燃焼室と前記排気口が開口する二次燃焼室とに燃焼室内を分画し、前記燃焼促進板には、一次燃焼室と二次燃焼室とを連通する多数の通孔が該促進板の全体に分散配設されていることを特徴とする（特許文献１参照）。
【０００３】
さらに、本願発明者は、先に、簡単な構成にもかかわらず、燃焼性能をさらに向上させることができる燃焼装置について特許を取得している。その燃焼装置によれば、燃焼物の投入口や空気供給口を備える一次燃焼室と排気口を備える二次燃焼室とに、天板部の内面から垂下された状態に固定されて下端縁が底板部の内面から所要の間隔を開ける高さとなるように形成されると共に多数の貫通孔を備える燃焼促進板によって、区切られた燃焼空間を有する燃焼装置であって、前記排気口が前記二次燃焼室の天板部に設けられ、該二次燃焼室内で該排気口の開口を横切って分割するように、前記燃焼促進板と同等の多数の貫通孔を備える少なくとももう一枚の燃焼促進板が天板部の内面から垂下された状態に固定されて下端縁が底板部の内面から所要の間隔を開ける高さとなるように形成されて設けられていることを特徴とする（特許文献２参照）。
【０００４】
これらの燃焼装置によれば、燃焼促進板が効果的に加熱されることで着火より短時間で燃焼が定常化でき、煙の発生を抑制できると共に、高温燃焼ができるため、固形状のあらゆる燃焼物を効果的に燃焼させることができる。
しかしながら、これらの従来の燃焼装置では、簡易な構成でありながら、ストーブ（暖房装置）として優れているが、直に火を当てることのできるコンロとして利用することができない。
【先行技術文献】
【特許文献】
【０００５】
【特許文献１】特許第３０６６０６６号公報（請求項１、第１図）
【特許文献２】特許第４７８５９８０号公報（請求項１、第１図）
【発明の概要】
【発明が解決しようとする課題】
【０００６】
燃焼器具に関して解決しようとする問題点は、より簡易な構成で、燃焼性能が優れ、且つコンロとしても好適に利用できるものが提案されていない点にある。
そこで、本発明の目的は、より簡易な構成で、より着火し易いと共に燃焼性能が優れ、暖房装置としてだけでなくコンロとしても好適に利用できる燃焼器具を提供することにある。
【課題を解決するための手段】
【０００７】
本発明は、上記目的を達成するために次の構成を備える。
本発明にかかる燃焼器具の一形態によれば、起立した筒状に形成され、上端面が開放されて底端面が塞がれていると共に、周壁上部に複数の開口を備える外筒と、曲げられた管路状に形成されて前記外筒の周壁下部から挿入された状態に装着され、一端部が前記外筒の外側に開放された焚口部として設けられていると共に、他端部が前記外筒の内部中央に同心で上方へ延長された管路として形成されて上方へ開放された直立管部になっている曲げ管とを備え、該曲げ管の前記直立管部に複数の通気口が設けられている。
【０００８】
また、本発明にかかる燃焼器具の一形態によれば、前記曲げ管の前記一端部が水平方向へ延長された管路として形成されて前記焚口部が水平方向へ開放されていることを特徴とすることができる。
また、本発明にかかる燃焼器具の一形態によれば、前記焚口部を形成する前記曲げ管の一端部の管路内に、該一端部の管路を上下に仕切るロストルが着脱可能に挿入されて配設されていることを特徴とすることができる。
【０００９】
また、本発明にかかる燃焼器具の一形態によれば、前記曲げ管が、エビ曲げ状管の一方端に前記焚口部を形成する直管が接続され、該エビ曲げ状管の他方端に前記直立管部を構成する有孔の直管が接続されて形成されていることを特徴とすることができる。
また、本発明にかかる燃焼器具の一形態によれば、前記曲げ管の前記直立管部の上端面が前記外筒の前記周壁上部の開口よりも下側で開放されていることを特徴とすることができる。
【発明の効果】
【００１０】
本発明の燃焼器具によれば、より簡易な構成で、より着火し易いと共に燃焼性能が優れ、暖房装置としてだけでなくコンロとしても好適に利用できるという特別有利な効果を奏する。
【図面の簡単な説明】
【００１１】
【図１】本発明に係る燃焼器具の形態例を示す斜視図である。
【図２】図１の形態例の内部構造を透視した状態の斜視図である。
【図３】図１の形態例の正面図である。
【図４】図１の形態例の透視正面図である。
【図５】図１の形態例の背面図である。
【図６】図１の形態例の透視背面図である。
【図７】図１の形態例の平面図である。
【図８】図１の形態例の透視平面図である。
【図９】図１の形態例の底面図である。
【図１０】図１の形態例の透視底面図である。
【図１１】図１の形態例の左側面図である。
【図１２】図１の形態例の透視左側面図である。
【図１３】図１の形態例の右側面図である。
【図１４】図１の形態例の透視右側面図である。
【発明を実施するための形態】
【００１２】
以下、本発明に係る燃焼器具の形態例を、添付図面（図１〜１４）に基づいて詳細に説明する。
この燃焼器具は、起立した筒状に形成された外筒１０の内部に、燃焼室と煙突とを兼用する管路（曲げ管２０）が外筒１０の周壁下部１３に設けられた開口（貫通孔）から挿入された状態に配されて、その外筒１０とその曲げ管２０とによる二重構造になっていることを、基本的な構成として備えている。なお、このような構成による燃焼器具は、ロケットストーブと称されることがあり、二重構造となっていることで、着火を素早くして燃焼性能を高める効果がある。
【００１３】
本発明に係る外筒１０は、起立した筒状に形成され、上端面が開放されて底端面が塞がれていると共に、周壁上部１１に複数の開口１２を備えている。１４は底板部である。
本形態例の外筒１０は、上端面が開放された円筒の缶状に形成されており、円形の開口１２が周壁上部１１に左右４個ずつ一列に配されている。なお、本形態例では、直径が３１ｃｍで高さが４１ｃｍの円筒状であってステンレススチールを用いて形成されており、耐久性の高いものとなっている。
【００１４】
本発明に係る曲げ管２０は、曲げられた管路状に形成されて外筒１０の周壁下部に設けられた開口（貫通孔）から挿入された状態に装着され、一端部が外筒の外側に開放された焚口部２１として設けられていると共に、他端部が外筒１０の内部中央に同心で上方へ延長された管路として形成されて上方へ開放された直立管部２２になっている。そして、その曲げ管２０の直立管部２２に複数の通気口２３が設けられている。本形態例では、通気口２３が、直立管部２２の周壁面に貫通されて千鳥配置で複数設けられている。
【００１５】
これによれば、簡易な構成であるが、曲げ管２０の複数の通気口２３から二次空気が適切に引き込まれ、固形燃料から発生するガスを燃焼させるための空気量が増え、燃焼を活性化できる。すなわち、大きな炎が安定的に上方に向かい、燃焼音が大きくなって極めて良好に燃える。これは、空気の流れを活性化させる煙突の効果を高め、二次空気が自動的に吸引され、燃焼効率を高める相乗効果が生じるためと考えられる。煙突の効果は、通常はその煙突の長さが上方へ向かって長いほど良いとされているが、本発明の場合、その煙突効果を複数の通気口２３が担うため、曲げ管２０の直立管部２２の長さを、図示されているように短くすることができる。
【００１６】
また、本形態例の通気口２３は、円筒形の直立管部２２の側周面に形成された円形の貫通孔であり、空気の流通が適切になされるように所要の大きさ径に設けられていると共に、適切な開口率を得るように所要の数が設けられている。
なお、この複数の通気口２３の最適な形態は、外筒１０及び曲げ管２０の大きさや、それらのバランスに対応して適宜選択的に設計することができる。
また、外筒１０、曲げ管２０及び通気口２３の形状についても、そのデザイン性を含めて本形態例に限定されるものではなく、例えば本形態例のような円筒状や円形状ではなく、角筒状や矩形状の形態を採用することも可能である。
【００１７】
なお、実験例として、曲げ管２０の直立管部２２に複数の通気口２３を設けなかった場合は、直立管部２２を長めに設けても炎がゆらゆらと揺れて、本形態例に比較して安定的な燃焼とならなかった。すなわち、複数の通気口２３を設けない場合は、燃焼性能を向上することが難しかった。
【００１８】
また、本形態例によれば、図面で示した本形態例の形状よりも直立管部２２の長さを長くした場合や通気口２３の直径を小さくした場合などに比較して、燃焼温度が高まって煤の発生量が抑制されるなど、燃焼性能が向上した。このように、各構成のバランスを適宜に調整することで、燃焼性能を向上させることができる。
【００１９】
また、本形態例では、曲げ管２０の一端部が水平方向へ延長された管路として形成されて焚口部２１が水平方向へ開放されている。
これによれば、極めて簡易な構成でありながら、燃焼空気の流れを阻害することなく適切に案内できる形態となっていると共に、焚き付け作業や保守管理を行い易い形態になっている。
【００２０】
また、本形態例では、焚口部２１を形成する曲げ管２０の一端部の管路内に、その一端部の管路を上下に仕切るロストル３０が着脱可能に挿入されて配設されている。図示するように、本形態例のロストル３０は、開口が多数形成された板状の形態である有孔板によって構成されているが、これに限定されることなく、通気性を確保するための開口を備えるものであれば、格子状や網目状などの仕切部材を適宜に用いることができる。
これによれば、極めて簡易な構成でありながら、燃焼性能を向上させることができる。
【００２１】
また、本形態例では、曲げ管２０が、エビ曲げ状管２５の一方端に焚口部２１を形成する直管が接続され、そのエビ曲げ状管２５の他方端に直立管部２２を構成する有孔の直管が接続されることで一体化されて形成されている。
これによれば、市販のエビ曲げ状管２５を用いて、曲げ管２０を簡単に構成できる。なお、曲げ管２０としては、燃焼空気の流れをよりスムースにできるという点でもエビ曲げ状管２５を用いて構成することに利点があるが、これに限定されるものではなく、Ｌ字状のエルボ管などを利用することもできる。また、曲げ管２０の形成方法も本形態例に限定されず、曲げ管２０の全体を一体に設けても良く、さらには適宜に分割した部品を組み合わせることによって一体化して設けても良いのは勿論である。
【００２２】
また、本形態例では、曲げ管２０の直立管部２２の上端面２２ａが外筒１０の周壁上部１１の開口１２よりも下側で開放されている。
このように直立管部２２が比較的短く形成されているが、前述したように複数の通気口２３によれば、着火性能や燃焼性能を高めることができる。また、このように性能を向上できることは、複数の開口１２と複数の通気口２３など、各構成のバランスが極めて良好に設定されていることによる。
【００２３】
以上のように構成されていることで燃焼空気の排気の流通を妨げることなく、外筒１０の上端面に鍋釜を載せることができ、好適に煮炊きができる。また、外筒１０の最上端部の内周に帯状に張り出して設けられた焼網載置用の縁１６に焼網を載せることができ、その焼網上で食材を焼くことができる。すなわち、本発明に係る燃焼器具によれば、暖房器具（ストーブ）として用いるだけでなく、炊飯やバーベキューなどが好適にできる。
【００２４】
この本発明に係る燃焼器具によれば、燃焼効率がよく、煙の発生を低減できる。特に、火力が強く炊飯に適している。また、この燃焼器具によれば、火起こしが極めて簡単で、通常の薪に限定されず、枯枝、枯竹、木片を燃料として高温燃焼ができるなど、燃焼装置として、より簡易な構成となっているが、極めて優れた特性を有するものとなっている。
【００２５】
１５は曲げ管取付用鍔部材であり、曲げ管２０を外筒１０に装着・固定するために補強する部材として設けられている。１７は銘板である。また、４０は取手であり、これによれば本形態例の燃焼器具を吊り下げて簡単に持ち運ぶことができる。
【００２６】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２７】
１０  外筒
１１  周壁上部
１２  開口
１３  周壁下部
１４  底板部
１５  曲げ管取付用鍔部材
１６  焼網載置用の縁
１７  銘板
２０  曲げ管
２１  焚口部
２２  直立管部
２２ａ  上端面
２３  通気口
２５  エビ曲げ状管
３０  ロストル
４０  取手
【図１】
2015087083.tif 000003
【図２】
2015087083.tif 000004
【図３】
2015087083.tif 000005
【図４】
2015087083.tif 000006
【図５】
2015087083.tif 000007
【図６】
2015087083.tif 000008
【図７】
2015087083.tif 000009
【図８】
2015087083.tif 000010
【図９】
2015087083.tif 000011
【図１０】
2015087083.tif 000012
【図１１】
2015087083.tif 000013
【図１２】
2015087083.tif 000014
【図１３】
2015087083.tif 000015
【図１４】
2015087083.tif 000016